(57)【要約】【課題】増幅器回路（１０）およびバイアスノイズを低減する方法を提供する。【解決手段】増幅器回路は、所望のバイアス信号（２６）を増幅器に供給する受動バイアス印加源（１６）と、所望のバイアス信号を供給するために受動バイアス印加源に電圧印加する能動バイアス印加源（１８）とを含む。増幅器回路はまた、増幅器が、受動バイアス印加源によって所望のバイアス信号を依然として供給されながら、能動バイアス印加源によって生成される電子ノイズから切り離されたままになるように、入力信号を増幅するように構成される場合に、能動バイアス印加源を受動バイアス印加源から選択的に分離させる分離器（２８）を含む。【選択図】図３
2008306723.tif 000002
【特許請求の範囲】
【請求項１】
バイアスノイズを低減する増幅器回路（１０）であって、
増幅器（１２）と、
所望のバイアス信号（２６）を前記増幅器（１２）に供給する受動バイアス印加源（１６）と、
前記所望のバイアス信号（２６）を供給するために前記受動バイアス印加源（１６）に電圧印加する能動バイアス印加源（１８）と、
前記増幅器（１２）が、前記受動バイアス印加源（１６）によって前記所望のバイアス信号（２６）を依然として供給されながら、前記能動バイアス印加源（１８）によって生成される電子ノイズから切り離されたままになるように、入力信号を増幅するように構成される場合に、前記能動バイアス印加源（１８）を前記受動バイアス印加源（１６）から選択的に分離させる分離器（２８）とを備える増幅器回路（１０）。
【請求項２】
前記入力信号を増幅することから前記増幅器（１２）を選択的にディセーブルするための増幅器（１２）選択解除器をさらに備える請求項１記載の増幅器回路（１０）。
【請求項３】
前記能動バイアス印加源（１８）が前記受動バイアス印加源（１６）から分離した後、少なくともある期間の間、前記入力信号を増幅することから前記増幅器（１２）をディセーブルするように、前記分離器および前記選択解除器を制御するコントローラをさらに備える請求項２記載の増幅器回路（１０）。
【請求項４】
選択解除期間は、分離中に生成される分離過渡信号が所望のレベルまで減衰することが可能になるように選択される請求項２記載の増幅器回路（１０）。
【請求項５】
前記バイアス信号（２６）は、所望のオフセット電圧レベルを含む請求項１記載の増幅器回路（１０）。
【請求項６】
前記受動バイアス印加源（１６）は、静電容量性要素を備える請求項１記載の増幅器回路（１０）。
【請求項７】
バイアスノイズを低減する増幅器回路（１０）であって、
センサ出力を選択的に生成するセンサ（２２）と、
前記センサ出力に応答して増幅器出力を選択的に生成する第１増幅器（１２）であって、
前記第１増幅器（１２）に所望のバイアス信号（２６）を供給する受動バイアス印加源（１６）、
前記所望のバイアス信号（２６）を供給するために前記受動バイアス印加源（１６）に電圧印加する能動バイアス印加源（１８）、および、
前記増幅器（１２）が、前記受動バイアス印加源（１６）によって前記所望のバイアス信号（２６）を依然として供給されながら、前記能動バイアス印加源（１８）によって生成される電子ノイズから切り離されたままになるように、前記センサ出力を増幅するように構成される場合に、前記能動バイアス印加源（１８）を前記受動バイアス印加源（１６）から選択的に分離させる第１分離器（２８）を備える、第１増幅器（１２）と、
前記第１増幅器の出力に結合して、前記第１増幅器の増幅器出力を選択的にサンプリングするようにするサンプリング回路（３８）と、
前記センサ（２２）の動作と前記第１増幅器（１２）の動作とに対して前記サンプリング回路（３８）の動作のタイミングを制御して、オフセット補正出力を生成するコントローラ（２０）とを備える増幅器回路（１０）。
【請求項８】
前記センサ出力を増幅することから前記第１増幅器（１２）を選択的にディセーブルするための増幅器選択解除器をさらに備える請求項７記載の増幅器回路（１０）。
【請求項９】
前記コントローラは、前記能動バイアス印加源が前記受動バイアス印加源から分離した後、少なくともある期間の間、前記センサ出力を増幅することから前記第１増幅器（１２）をディセーブルするようにさらに構成される請求項８記載の増幅器回路（１０）。
【請求項１０】
選択解除期間は、分離中に生成される分離過渡信号が所望のレベルまで減衰することが可能になるように選択される請求項９記載の増幅器回路（１０）。
【発明の詳細な説明】
【技術分野】
【０００１】
本発明は、増幅器バイアス印加に関し、より詳細には、増幅器回路内のバイアスノイズを低減する回路および方法に関する。
【背景技術】
【０００２】
ｘ線およびＣＴスキャン機器用のデジタル変換システムで使用される低ノイズ増幅器（ＬＮＡ）などのＬＮＡを使用するとき、回路ノイズを最小にするように注意が払われなければならない。特に、ｘ線およびＣＴスキャンイメージングを実施するのに必要となる照射線量を最小にするために、センサ信号のノイズの非常に低い増幅を提供することが望ましい。増幅器への入力信号の振幅が減少するにつれて、許容することができる回路ノイズ量もまた減少する。信号源、バイアス印加、およびＬＮＡに関連するフィードバック抵抗は、それぞれ、ジョンソンノイズおよび／または増幅器内に入力電流によって生成されるノイズなどの形態の回路ノイズの一因となる。通常、増幅器の出力のノイズは、センサ、増幅器、およびバイアス印加回路からのノイズの２乗平均平方根の和とみなされてもよい。
【０００３】
昔は、ｘ線およびＣＴ用途で使用されるＬＮＡの低ノイズバイアス印加は、ＢｉＣＭＯＳデバイスなどの、比較的大型で電力消費の大きいトランジスタおよび／または比較的高価なデバイスを使用して達成されてきた。空間および電力要件に関して経済的に使用するために、ＬＮＡバイアス印加回路は、増幅段の複数のチャネルの間で共有されて、回路面積および電力消費要件が低減されてもよい。しかし、こうした構成は、複数のチャネルにわたるクロストークおよび関連するノイズをもたらす可能性がある。
【特許文献１】ＵＳ  ７０１０２８２  Ｂ２
【特許文献２】ＵＳ  ５５５４９５８
【特許文献３】ＵＳ  ６４５２３７０  Ｂ１
【特許文献４】ＵＳ  ２００６／０１３９１９８  Ａ１
【特許文献５】ＵＳ  ５６２５３２２
【特許文献６】ＵＳ  ６２８８５９６  Ｂ１
【特許文献７】ＵＳ  ７０５３８０６  Ｂ１
【特許文献８】ＥＰ  ０５３１１０１  Ａ２
【発明の開示】
【発明が解決しようとする課題】
【０００４】
したがって、ＬＮＡの改善された低ノイズバイアス印加が望まれる。
【課題を解決するための手段】
【０００５】
本発明の実施形態では、バイアスノイズを低減する増幅器回路が提供される。増幅器回路は、増幅器と、所望のバイアス信号を増幅器に供給する受動バイアス印加源と、所望のバイアス信号を供給するために受動バイアス印加源に電圧印加する能動バイアス印加源とを含む。増幅器回路はまた、増幅器が、受動バイアス印加源によって所望のバイアス信号を依然として供給されながら、能動バイアス印加源によって生成される電子ノイズから切り離されたままになるように、入力信号を増幅するように構成される場合に、能動バイアス印加源を前記受動バイアス印加源から選択的に分離させる分離器を含む。
【０００６】
別の実施形態では、本発明は、バイアスノイズを低減する増幅器回路を含む。増幅器回路は、センサ出力を選択的に生成するセンサと、センサ出力に応答して増幅器出力を選択的に生成する第１増幅器とを含む。第１増幅器は、第１増幅器に所望のバイアス信号を供給する受動バイアス印加源と、所望のバイアス信号を供給するために受動バイアス印加源に電圧印加する能動バイアス印加源とを含む。第１増幅器はまた、増幅器が、受動バイアス印加源によって所望のバイアス信号を依然として供給されながら、能動バイアス印加源によって生成される電子ノイズから切り離されたままになるように、センサ出力を増幅するように構成される場合に、能動バイアス印加源を受動バイアス印加源から選択的に分離させる第１分離器を含む。増幅器回路はまた、第１増幅器の出力に結合して、第１増幅器の増幅器出力を選択的にサンプリングするようにするサンプリング回路と、センサの動作と第１増幅器の動作とに対してサンプリング回路の動作のタイミングを制御して、オフセット補正出力を生成するコントローラとを含む。
【０００７】
別の実施形態では、本発明は、増幅器回路内のバイアスノイズを低減する方法を含む。方法は、所望のバイアス信号を増幅器に供給する受動バイアス印加源を設けること、および、所望のバイアス信号を供給するために受動バイアス印加源に電圧印加する能動バイアス印加源を設けることを含む。方法はまた、能動バイアス印加源によって受動バイアス印加源に電圧印加すること、および、増幅器が、受動バイアス印加源によって所望のバイアス信号を依然として供給されながら、能動バイアス印加源によって生成される電子ノイズから切り離されたままになるように、信号を増幅するように構成される場合に、能動バイアス印加源を受動バイアス印加源から選択的に分離させることを含む。
【発明を実施するための最良の形態】
【０００８】
本発明の発明者等は、能動バイアス印加源を使用して、増幅器にバイアス印加するために受動バイアス印加源に電圧印加すること、および、増幅器が信号を増幅するように構成される場合に、能動バイアス印加源を受動バイアス印加源から選択的に分離させることによって、能動バイアス印加源によって生成される電子ノイズが、所望のバイアス信号から分離されて、増幅器に結合するノイズ量が制限されることができることを創造的に実現した。
【０００９】
図１は、複数チャネル増幅器段１４の１つまたは複数の増幅器１２用の実施例の低ノイズバイアス印加回路１０の略図である。複数チャネル増幅器段１４が図１に示されるが、バイアス印加回路は、増幅器段１４のメンバであってもよく、そうでなくてもよい単一増幅器１２と共に使用されてもよいことが理解されるべきである。バイアス印加回路１０は、所望のオフセット電圧レベルなどの所望のバイアス信号２６を、それぞれの増幅器１２のバイアス印加入力に印加する受動バイアス印加源１６を含んでもよい。バイアス印加回路１０はまた、所望のバイアス信号２６を供給するための１つまたは複数の受動バイアス印加源１６に電圧印加する能動バイアス印加源１８を含んでもよい。ある実施形態では、受動バイアス印加源１６は、能動バイアス印加源１８によって供給されるバイアス電圧レベルを記憶することが可能な静電容量性要素などの電気信号レベル記憶デバイスを含んでもよい。種々の実施形態では、受動バイアス印加源１６は、所望のバイアス信号２６を生成するための、電圧基準、バンドギャップ基準、電流源、または、他のタイプの基準を含んでもよい。
【００１０】
バイアス印加回路１０は、さらに、増幅器１２が、センサ２２によって供給されるセンサ信号５０などの信号を増幅するように構成される場合に、能動バイアス印加源１８を受動バイアス印加源１６から選択的に分離するスイッチなどの分離器２８を含んでもよい。ある実施形態では、センサ２２は、ｘ線充電タイプセンサを含んでもよい。能動バイアス印加源１８を受動バイアス印加源１６から選択的に分離することによって、能動バイアス印加源１８によって生成されるノイズ信号は、所望のバイアス信号２６から分離されることができ、増幅器１２に結合するバイアス源ノイズ量を低減するのに有効である。したがって、増幅器１２は、受動バイアス印加源１６によって所望のバイアス信号２６を依然として供給されながら、能動バイアス印加源１８によって生成される電子ノイズから切り離されたままにされ得る。
【００１１】
バイアス印加回路１０はまた、増幅器１２の増幅動作を選択的にディセーブルする選択解除器３０を含んでもよい。本発明のある実施形態では、選択解除器３０は、スイッチであって、増幅器１２のフィードバックインピーダンス２４に並列に接続され、スイッチが閉じると、増幅器１２の増幅動作をディセーブルし、スイッチが開くと、増幅動作をイネーブルするように、フィードバックインピーダンス２４を選択的に短絡する、スイッチを含んでもよい。
【００１２】
バイアス印加回路１０はまた、たとえば、図２のタイミング図に示すように、バイアス印加回路１０の所望の動作を達成するために、分離器２８および／または選択解除器３０を制御する１つまたは複数のコントローラ（複数可）２０を含んでもよい。第１期間３２の間、コントローラ２０は、受動バイアス印加源（複数可）１６に電圧印加して所望のバイアスレベルにするために、能動バイアス印加源１８を１つまたは複数の受動バイアス印加源（複数可）１６に接続させるように、分離器２８を制御するように構成されてもよい。たとえば、電圧印加は、受動バイアス印加源（複数可）１６の静電容量性要素を所望のバイアスレベルに充電させることを含んでもよい。この期間３２の間に、コントローラ２０はまた、増幅器１２のフィードバックインピーダンス２４を短絡することなどによって、増幅器１２の増幅動作をディセーブルするように、選択解除器３０を制御するように構成されてもよい。第１期間３２の後に、コントローラ２０は、増幅器１２の増幅動作をディセーブルしたままで、受動バイアス印加源１６から能動バイアス印加源１８を分離するように、分離器２８を制御するように構成されてもよい。ある実施形態では、増幅器１２の増幅動作は、能動バイアス印加源１８が受動バイアス印加源１６から分離した後、少なくとも第２期間３４の間、ディセーブルされてもよい。
【００１３】
第２期間３４の間、受動バイアス印加源１６は、所望のバイアスレベルを維持するように構成されてもよい。たとえば、受動バイアス印加源は、所望のバイアスレベルを約１０マイクロ秒の第２期間３４の間、維持するために、約１０ピコファラドの範囲の静電容量性要素を含んでもよい。本発明のある態様では、第２期間３４は、分離中に生成される分離用またはスイッチング用過渡信号が、所望の量だけ減衰することが可能になるように選択されてもよい。
【００１４】
第２期間３４の終わりに、コントローラ２０は、能動バイアス印加源１８を受動バイアス印加源１６から分離したままで、増幅器１２のフィードバックインピーダンス２４の両端の短絡を切り離すなどによって、増幅器１２の増幅動作をイネーブルするように、選択解除器３０を制御するように構成されてもよい。その結果、能動バイアス印加源１８とそれによって生成される任意のノイズ成分および他の信号源からの任意の関連するノイズは、増幅動作中、増幅器１２から切り離され、一方、受動バイアス印加源１６は、適切なバイアスレベルを増幅器１２に供給する。有利には、能動バイアス印加源１８は、電力消費を低減するために、第３期間３６の間、ターンオフされてもよい。本発明のある態様では、能動バイアス印加源１８は、約１０秒間ターンオフされてもよく、受動バイアス印加源１６が所望のバイアスレベルにリフレッシュされるか、または、再充電される必要があるまで、この期間３６の間、複数のサンプルが収集されることが可能になる。有利には、増幅器１２がセンサ２２からのセンサ信号５０を増幅しているときに、増幅器１２から能動バイアス印加源１８が分離されるため、能動バイアス印加源１８は、低ノイズのために最適化される（通常は必要とされる）必要はない。
【００１５】
図３は、増幅信号サンプリング回路３８を採用する低ノイズバイアス印加回路１０の別の実施形態の略図である。バイアス印加回路１０は、先に述べまた図１に示す単一増幅器チャネルの回路要素を組み込んでもよく、また、増幅器１２の出力に接続されたサンプリング段３８を含んでもよい。サンプリング回路３８は、ローパスフィルタなどの記憶要素４０および増幅器４２を含んでもよい。サンプリング回路３８は、増幅器４２の増幅動作を選択的にディセーブルする第２選択解除器４４を含んでもよい。本発明のある実施形態では、第２選択解除器４４は、スイッチであって、スイッチが閉じると、増幅器４２の増幅動作をディセーブルし、スイッチが開くと、増幅動作をイネーブルするように、増幅器４２の周りに電気経路４５を選択的に提供する、スイッチを含んでもよい。
【００１６】
本発明のある態様では、センサ２２は、センサ出力５０を選択的に生成し、センサ出力５０を第１増幅器１２に供給するように構成されてもよい。第１増幅器１２は、センサ出力５０に応答して第１増幅器出力４６を選択的に生成するように構成されてもよい。バイアス印加回路１０は、第１増幅器１２に所望のバイアスレベル２６を供給する受動バイアス印加源１６と、所望のバイアスレベル２６を供給するために受動バイアス印加源１６に電圧印加する能動バイアス印加源１８を含んでもよい。分離器２８は、第１増幅器１２が、受動バイアス印加源１６によって所望のバイアス信号２６を依然として供給されながら、能動バイアス印加源１８によって生成される電子ノイズから切り離されたままになるように、センサ出力５０を増幅するように使用される場合に、能動バイアス印加源１８を受動バイアス印加源１６から選択的に分離させるために設けられてもよい。
【００１７】
サンプリング回路３８は、増幅器出力４６を受け取り、センサ２２および増幅器１２の異なる動作条件下で増幅器出力４６を選択的にサンプリングするために、第１増幅器１２に結合されてもよい。１つまたは複数のコントローラ（複数可）２０は、センサ２２の動作と第１増幅器１２の動作に対するサンプリング回路３８の動作のタイミングを制御して、オフセット補正された増幅器出力を生成するために設けられてもよい。コントローラ２０は、図４のタイミング図に示すように、バイアス印加回路１０の所望の動作を達成するように、分離器２８、選択解除器３０、および／または第２選択解除器４４を制御するように構成されてもよい。
【００１８】
第１期間３２の間、コントローラ２０は、受動バイアス印加源１６に電圧印加して所望のバイアスレベルにするために、能動バイアス印加源１８を受動バイアス印加源１６に接続させるように、分離器２８を制御するように構成されてもよい。この期間３２の間に、コントローラ２０はまた、増幅器１２のフィードバックインピーダンス２４を短絡することなどによって、増幅器１２の増幅動作をディセーブルするように、選択解除器３０を制御するように構成されてもよい。同様に、この期間３２の間に、コントローラ２０は、増幅器４２をバイパスさせることなどによって、サンプリング回路３８の増幅器４２の増幅動作をディセーブルするように、第２選択解除器４４を制御するように構成されてもよい。
【００１９】
第１期間３２の後に、コントローラ２０は、増幅器１２の増幅動作をディセーブルしたままで、受動バイアス印加源１６から能動バイアス印加源１８を分離するように、分離器２８を制御するように構成されてもよい。増幅器１２は、能動バイアス印加源１８が受動バイアス印加源１６から分離した後、少なくとも第２期間３４の間、ディセーブルされてもよい。図４のタイミング図に示すように、増幅器出力４６は、能動バイアス印加源１８が受動バイアス印加源１６から分離した後、一定量だけオフセットしてもよい。
【００２０】
第２期間３４の終わりに、コントローラ２０は、能動バイアス印加源１８を受動バイアス印加源１６から分離したままで、増幅器１２の増幅動作をイネーブルするように、選択解除器３０を制御するように構成されてもよく、それにより、増幅動作中に、能動バイアス印加源１８から増幅器１２に結合するノイズが制限される。図４に示すように、期間５２の始めに、増幅器１２の増幅動作がイネーブルされると、増幅器出力４６は変化する可能性がある。たとえば、増幅器出力４６は、比較的一定のペデスタルレベル５８に整定する前に、ペデスタル５６として知られる特徴を収集してもよい。その結果、コントローラ２０は、増幅動作をイネーブルした後、増幅器出力４６が比較的一定のペデスタルレベル５８に達するまで、センサ２２の検知動作をディセーブルするように構成されてもよい。この期間の間、サンプル出力４８の第１サンプル出力レベル６２は、増幅器出力４６の一定のペデスタルレベル５８と同じままになり、増幅器出力４６のオフセットを除去するために後で処理するための、第１基準サンプル出力レベルとして処理されてもよい。
【００２１】
第３期間５２の終わりに、コントローラ２０は、第４期間５４の間に増幅器４２の周りの電気経路４５を切り離すなどによって、増幅器４２の増幅動作をイネーブルするように、第２選択解除器４４を制御するように構成されてもよい。コントローラ２０はまた、この第４期間５４の間にセンサ２２の動作をイネーブルするように構成されてもよい。したがって、センサ出力５０は、増幅器１２によって増幅されて、ペデスタルレベル５８に重ね合わされた増幅器出力レベル６０が生成されてもよい。しかし、サンプル出力４８は、第１サンプル出力レベル６２に対して第２サンプル出力レベル６４を生成するために、一定のペデスタルレベル５８に応答して変化するだけである。したがって、ペデスタルレベル５８のオフセットを軽減するために、たとえば、相関２重サンプリング技法を使用して、第１サンプル出力レベル６２は、第２サンプル出力レベル６４から減算されて、増幅器出力４６のより正確な指示が提供されてもよい。
【００２２】
図５は、信号を増幅する実施例の方法のフロー図６６である。方法は、増幅器１２のバイアス印加入力に所望のバイアス信号を印加するための、上述し、また、図２に示す受動バイアス印加源１６などの受動バイアス印加源を設ける（６８）ことを含んでもよい。方法はまた、所望バイアス信号を生成するために受動バイアス印加源に電圧印加するための、上述した能動バイアス印加源１８などの能動バイアス印加源を設ける（７０）ことを含んでもよい。方法は、その後、能動バイアス印加源によって受動バイアス印加源に電圧印加する（７２）ことを含んでもよい。方法は、さらに、増幅器が信号を増幅するように使用される場合に、受動バイアス印加源から能動バイアス印加源を選択的に分離する（７４）ことを含んでもよい。方法は、さらに、能動バイアス印加源が受動バイアス印加源から分離された後、少なくともある期間の間、増幅器の増幅動作をディセーブルすることを含んでもよい。ある実施形態では、期間は、分離中に生成される分離過渡信号が、所望の信号レベルまで減衰することが可能になるように選択されてもよい。本方法によれば、能動バイアス印加源によって生成されるノイズ信号は、所望のバイアス信号から分離されて、増幅器に結合されるノイズ量を制限するようにし得る。
【００２３】
別の実施形態では、方法は、センサ入力を増幅器に供給するセンサがディセーブルされるとき、増幅器の第１増幅器出力をサンプリングする（７６）こと、および、センサ入力を増幅器に供給するセンサがイネーブルされるとき、増幅器の第２増幅器出力をサンプリングする（７８）ことを含んでもよい。方法は、さらに、たとえば、相関２重サンプリング技法を使用して、オフセット補正された増幅信号を生成するように、サンプリングされた第１増幅器信号出力を、サンプリングされた第２増幅器信号出力から減算する（８０）ことを含んでもよい。
【００２４】
なお別の実施形態では、方法は、受動バイアス印加源をリフレッシュするか、または、再充電するか、または、センサ２２の出力をサンプリングし続けるかを判定する（８２）ことを含んでもよい。たとえば、図４の第４期間５４は、図３の受動バイアス印加源１６をリフレッシュすることが必要になる前に、その期間５４の間に、２つ以上のサンプルが収集されることを可能にするために、約１０秒まで延ばされてもよい。これは、受動バイアス印加源１６をリフレッシュする必要なしで、センサ２２が、比較的短い期間で複数のサンプルを収集するバーストモードで構成されることを可能にする。リフレッシュなしで収集されることができるサンプル数の上限は、受動バイアス印加源１６が、所望のバイアスレベルを、どれだけの期間、維持することができるかによって左右される可能性がある。
【００２５】
本発明の種々の実施形態が、本明細書で示され、述べられたが、こうした実施形態は、例としてだけ提供される。本発明から逸脱することなく、多数の変形、変更、および置換を、当業者が思いつくであろう。したがって、本発明は、添付特許請求項の精神および範囲によってだけ制限されることが意図される。また、図面の符号に対応する特許請求の範囲中の符号は、単に本願発明の理解をより容易にするために用いられているものであり、本願発明の範囲を狭める意図で用いられたものではない。そして、本願の特許請求の範囲に記載した事項は、明細書に組み込まれ、明細書の記載事項の一部となる。
【図面の簡単な説明】
【００２６】
【図１】マルチチャネル増幅器段の個々の増幅器用の実施例の低ノイズバイアス印加回路の略図である。
【図２】図１の低ノイズバイアス印加回路の実施例の動作のタイミング図である。
【図３】増幅器段用の低ノイズバイアス印加回路の別の実施例の略図である。
【図４】図３の低ノイズバイアス印加回路の実施例の動作のタイミング図である。
【図５】増幅器にバイアス印加する実施例の方法のフロー図である。
【符号の説明】
【００２７】
１０  回路
１２  増幅器
１４  マルチチャネル増幅器段
１６  受動バイアス印加源
１８  能動バイアス印加源
２０  コントローラ
２２  センサ
２４  フィードバックインピーダンス
２６  バイアス信号
２８  分離器
３２  第１期間
３４  第２期間
３６  第３期間
３８  サンプリング回路
４０  記憶要素
４２  増幅器
４４  第２選択解除器
４５  電気経路
５０  センサ信号
５２  第３期間
５４  第４期間
５６  ペデスタル
５８  ペデスタルレベル
６０  増幅器出力レベル
６２  第１サンプル出力レベル
６４  第２サンプル出力レベル
６６  フロー図
６８  受動バイアス印加源
７０  能動バイアス印加源
７２  能動バイアス印加源
７４  信号
８０  オフセット補正された増幅信号
８２  受動バイアス印加源
【図１】
2008306723.tif 000003
【図２】
2008306723.tif 000004
【図３】
2008306723.tif 000005
【図４】
2008306723.tif 000006
【図５】
2008306723.tif 000007